(57)【要約】      （修正有）【課題】一つの型で何種類もの規格のフィルムロールに対応することができるように改良されたフィルムロール搬送具を提供する。【解決手段】フィルムロール搬送具１１は、フィルムロールを鉛直方向に立てて収容して搬送するものであり、フィルムロールの下部を収容する下箱１２と、フィルムロールの上部側から下箱１２に被さるように蓋をする、下箱１２より径が一回り大きい上箱１３と、を備える。【選択図】図１
0003206802.tif 000002
【実用新案登録請求の範囲】
【請求項１】
フィルムロールを鉛直方向に立てて収容して搬送するためのフィルムロール搬送具であって、
前記フィルムロールの下部を収容する下箱と、
前記フィルムロールの上部側から前記下箱に被さるように蓋をする、前記下箱より径が一回り大きい上箱と、を備えたフィルムロール搬送具。
【請求項２】
前記上箱及び下箱のそれぞれの内面には、周方向に開梱するためのカットテープが設けられ、
前記上箱及び下箱のそれぞれの外面には、前記カットテープの切り口となるテープ切り口が設けられている、請求項１に記載のフィルムロール搬送具。
【考案の詳細な説明】
【技術分野】
【０００１】
本考案は一般にフィルムロール搬送具に関するものであり、より特定的には一つの型で何種類もの規格のフィルムロールに対応することができるように改良されたフィルムロール搬送具に関する。
【背景技術】
【０００２】
従来、フィルムロールは段ボール箱に詰められて搬送される。段ボール箱に詰める前に、図４（Ａ）に示すようなフィルムロールの端面を保護する一対の端面保護具１が準備される。端面保護具１は、例えば矩形の段ボール紙２を２枚重ねて形成された板状部材３に、プラスチックで形成された突出部４が設けられてなる。図４（Ｂ）に示すように、端面保護具１は、その突出部４をフィルムロール５のコア６の空洞部に挿入することにより、フィルムロール５の両端面に配置される。フィルムロール５は、例えば熱収縮性筒状ラベル、ストレッチラベルあるいはその他のフィルムがコアを中心にロール状に巻かれたものである。端面保護具１は、フィルムロール５のコア６の両端部を受け止める。
【０００３】
その状態で、フィルムロール５を鉛直方向に立てて段ボール箱７に詰められて、内フラップ９と外フラップ１０を閉じて、図４（Ｃ）に示すように、天側と底側の蓋をガムテープ８などで封じて、トラックなどで搬送される。
【考案の概要】
【考案が解決しようとする課題】
【０００４】
ところで、図５に示すように、フィルムロール５の径Ｄは、厚みと長さ（例えば２５μｍ×２０００ｍ巻き、２０μｍ×２０００ｍ巻き）で決まる。鉛直方向の高さはフィルムの幅で決まり、これには種々の規格が定められている（例えば９８０ｍｍ幅、９００ｍｍ幅、８７０ｍｍ幅）。
【０００５】
そのため、規格で定められたフィルムの幅毎に、図４（Ｂ）に示すような、高さの異なるダンボール箱をその都度準備しなければならず、ケースサイズアイテム数が多く、煩雑であるという問題点があった。
【０００６】
この考案は、上記のような問題点を解決するためになされたもので、一つの型で何種類もの規格のフィルムロールに対応することができるように改良されたフィルムロール搬送具を提供することを目的とする。
【課題を解決するための手段】
【０００７】
本考案に係るフィルムロール搬送具は、フィルムロールを鉛直方向に立てて収容して搬送するものであり、上記フィルムロールの下部を収容する下箱と、上記フィルムロールの上部側から上記下箱に被さるように蓋をする、上記下箱より径が一回り大きい上箱と、を備える。
【０００８】
フィルムロールの収容部を上と下とに分離したので、本考案に係るフィルムロール搬送具は、鉛直方向の高さが可変となる。
【０００９】
上箱及び下箱のそれぞれの内面には、周方向に開梱するためのカットテープが設けられ、上箱及び下箱のそれぞれの外面には、上記カットテープの切り口となるテープ切り口が設けられているのが好ましい。
【００１０】
このように構成すると、カットテープで周方向に開梱し、上箱と下箱からなるフィルムロール搬送具からフィルムロールを容易に取り出すことができる。
【００１１】
上記上箱及び下箱は段ボール紙で形成されるのが好ましい。
【考案の効果】
【００１２】
本考案に係るフィルムロール搬送具によれば、鉛直方向の高さが可変となるので、一つの型で何種類もの規格のフィルムロールに対応することができる。これにより、ケースサイズアイテム数が減少し、製品幅に対してより柔軟に対応できる。
【図面の簡単な説明】
【００１３】
【図１】本考案の実施例１に係るフィルムロール搬送具の概念を説明する図であり、フィルムロール搬送具は、下箱と上箱とからなる。
【図２】本考案の実施例１に係るフィルムロール搬送具を用いて、フィルムロールを梱包する様子を示す斜視図である。
【図３】（Ａ）はフィルムロールを収容した下箱に上箱を被せた状態を示す斜視図であり、（Ｂ）は、上箱と下箱の接合部を布テープで固定した状態を示す斜視図である。
【図４】従来の段ボール箱でフィルムロールを搬送する方法を説明する図である。
【図５】フィルムロールには種々の大きさの規格があることを説明する図である。
【考案を実施するための形態】
【００１４】
一つの型で何種類もの規格のフィルムロールに対応することができるように改良されたフィルムロール搬送具を得るという目的を、鉛直方向の高さを可変にすることによって実現した。以下、本考案の実施例を図を用いて説明する。各図中、同一又は相当する部分には同一の参照番号を付し、その説明を繰り返さない。
【００１５】
図１に示すように、本考案に係るフィルムロール搬送具１１は、下箱１２と、下箱１２より径が一回り大きい上箱１３とを備える。下箱１２及び上箱１３は段ボール紙で形成され、それぞれ、内フラップ９と外フラップ１０を閉じて組み立てられる。上箱１３及び下箱１２のそれぞれの内面には、周方向に開梱するためのカットテープ１４が設けられ、上箱１３及び下箱１２のそれぞれの外面には、カットテープ１４の切り口となるテープ切り口１５が設けられている。
【００１６】
図２に示すように、フィルムロール５の両端に端面保護具１を取り付けて、フィルムロール５の下部を下箱１２に収容し、フィルムロール５の上部側から下箱１２に被さるように上箱１３で蓋をする。
【００１７】
図３（Ａ）が、上箱１３で下箱１２を蓋をした状態の斜視図である。図３（Ｂ）に示すように、上箱１３及び下箱１２のそれぞれの外フラップの合わせ部をガムテープ８で封じ、上箱１３と下箱１３の接合部を布テープ１６で固定する。このような状態で搬送される。
【００１８】
フィルムロール５の鉛直方向の高さが低ければ、下箱１２への上箱１３の被さり方が深くなり、フィルムロール５の鉛直方向の高さが高ければ、下箱１２への上箱１３の被さり方が浅くなる。このように調整されるので、フィルムロール搬送具１１の鉛直方向の高さが可変となり、ひいては、一つの型の搬送具で何種類もの規格のフィルムロール５に対応することができる。また上箱１３と下箱１２の重なり部分で、段ボール紙が２枚になるので、強度が向上する。下箱１２はフィルムロールの径に応じて、その径を変える必要はある。一方、上箱１３は同一の大きさで賄えるので、量産効果により、経済的である。
【００１９】
フィルムロール５を取り出す時は、図３（Ｂ）を参照して、上箱１３及び下箱１２のそれぞれのテープ切り口１５からカットテープ１４を周方向に開梱する。これにより、フィルムロール５を容易に取り出すことができる。
【００２０】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２１】
本考案に係るフィルムロール搬送具によれば、鉛直方向の高さが可変となるので、一つの型で何種類もの規格のフィルムロールを収容し搬送することができる。
【符号の説明】
【００２２】
１ 端面保護具
２ 段ボール紙
３ 板状部材
４ 突出部
５ フィルムロール
６ コア
７ 段ボール箱
８ ガムテープ
９ 内フラップ
１０ 外フラップ
１１ フィルムロール搬送具
１２ 下箱
１３ 上箱
１４ カットテープ
１５ テープ切り口
１６ 布テープ
【図１】
0003206802.tif 000003
【図２】
0003206802.tif 000004
【図３】
0003206802.tif 000005
【図４】
0003206802.tif 000006
【図５】
0003206802.tif 000007